(57)【要約】【課題】利用料金の判断で困惑せず、利用料金の活性化等を可能にする。【解決手段】ユーザの携帯電話端末１０３を利用したタクシー利用料金決定システムに、インターネットに接続されるタクシー会社１１１−１１３の管理端末１２１−１２３と、インターネットに接続され、タクシー発注画面、タクシー会社登録画面を有するサーバ端末１３１を設け、サーバ端末は、タクシー会社登録画面から登録した結果を登録済みタクシー会社のリストに保持するタクシー会社登録手段１４２と、リストの管理端末のすべてにユーザ情報設定画面に入札をさせるユーザ情報設定手段１４３と、ユーザの携帯電話端末に会社・利用料金表示画面からの発注を行うようにとのメールを送信する会社名／料金設定手段１４４と、発注されたタクシー会社の管理端末に発注通知を行い、他のタクシー会社の管理端末に失注通知を行う発注結果通知手段１４５とを備える。【選択図】  図１
2004355410.tif 000002
【特許請求の範囲】
【請求項１】
移動通信網を介してインターネットに接続されるユーザの携帯電話端末を利用したタクシー利用料金決定システムにおいて、
前記インターネットに接続されるタクシー会社の管理端末と、
前記インターネットに接続され、発注者名、メールアドレス、携帯電話番号、乗車場所、降車場所を含む入力欄を表示するタクシー発注画面、タクシー会社名、情報送信先メールアドレスを含む入力欄を表示するタクシー会社登録画面をＷｅｂ画面として有するサーバ端末とを設け、
前記サーバ端末は、
前記管理端末がアクセスしタクシー会社登録画面から登録した結果を登録済みタクシー会社のリストに保持するタクシー会社登録手段と、
ユーザの前記携帯電話端末がアクセスし前記タクシー発注画面からタクシー発注依頼を行った場合、ユーザ情報にタクシー会社名、利用料金の入力欄を表示したユーザ情報設定画面をＷｅｂ画面として作成し、前記タクシー会社登録手段の前記リストに保持されている登録済みタクシー会社の前記管理端末のすべてに、ユーザ情報設定画面のＷｅｂ画面に対して入札するようにとの文章を記載したメールを送信するユーザ情報設定手段と、
前記管理端末がアクセスし前記ユーザ情報設定手段の前記ユーザ情報設定画面に入札が行われた場合、前記ユーザ情報に入札を行ったタクシー会社名、入札の利用料金を表示した会社・利用料金表示画面をＷｅｂ画面として作成し、ユーザの前記携帯電話端末に、前記会社・利用料金表示画面のＷｅｂ画面に対して発注を行うようにとの文章を記載したメールを送信する会社名／料金設定手段と、
ユーザの前記携帯電話端末がアクセスし前記会社名／料金設定手段の前記会社・利用料金表示画面からタクシー発注を行った場合、受注があったタクシー会社の管理端末に受注通知を行い、他のタクシー会社の管理端末に失注通知を行う発注結果通知手段とを備えることを特徴とする携帯電話端末を利用したタクシー利用料金決定システム。
【請求項２】
前記サーバ端末は、前記タクシー発注画面、前記タクシー会社登録画面をＷｅｂ画面としてそれぞれ作成するＷｅｂページ作成手段を備えることを特徴とする、請求項１に記載の携帯電話端末を利用したタクシー利用料金決定システム。
【請求項３】
前記サーバ端末から発注通知のあった前記管理端末では、携帯電話端末を有するタクシーからユーザの乗車場所に近いタクシーを選択し、選択したタクシーとユーザの前記携帯電話端末にタクシー車両番号、ユーザ名、乗車場所、降車場所、利用料金を含む情報を記載したメールを送信し、前記タクシー車両の携帯電話端末では乗車場所でユーザから利用料金を前払いで受領したとき、又は降車場所でユーザを降ろしたとき、受領完了の返信メールを送信することを特徴とする、請求項１に記載の携帯電話端末を利用したタクシー利用料金決定システム。
【請求項４】
前記ユーザ情報設定手段は、ユーザが前記タクシー発注画面上からデータを入力し、入力したデータを前記サーバ端末に送信した場合、案件毎の整理番号である案件番号を重複のないように１ずつカウントアップする方式で決定して、一日単位、週単位、月単位で整理番号をリセットし、前記ユーザ情報設定画面に決定した案件番号を記載する案件番号設定手段を備えることを特徴とする、請求項１に記載の携帯電話端末を利用したタクシー利用料金決定システム。
【請求項５】
前記タクシー会社登録手段は、前記管理端末がアクセスし前記タクシー会社登録画面から登録した結果を削除し、前記登録済みタクシー会社のリストを変更することを特徴とする、請求項１に記載の携帯電話端末を利用したタクシー利用料金決定システム。
【請求項６】
移動通信網を介してインターネットに接続されるユーザの携帯電話端末を利用したタクシー利用料金決定方法において、
前記インターネットにタクシー会社の管理端末を接続する工程と、
前記インターネットにサーバ端末を接続する工程と、
前記サーバ端末のタクシー発注画面に発注者名、メールアドレス、携帯電話番号、乗車場所、降車場所を含む入力欄を表示する工程と、
前記サーバ端末のタクシー会社登録画面のＷｅｂ画面にタクシー会社名、情報送信先メールアドレスを含む入力欄を表示する工程と、
前記管理端末が前記サーバ端末にアクセスしタクシー会社登録画面から登録した結果を登録済みタクシー会社のリストに保持する工程と、
ユーザの前記携帯電話端末が前記サーバ端末にアクセスし前記タクシー発注画面からタクシー発注依頼を行った場合、ユーザ情報にタクシー会社名、利用料金の入力欄を表示したユーザ情報設定画面をＷｅｂ画面として作成する工程と、
前記リストに保持されている登録済みタクシー会社の前記管理端末のすべてに前記ユーザ情報設定画面のＷｅｂ画面に対して入札するようにとの文章を記載したメールを送信する工程と、
前記管理端末がアクセスし前記ユーザ情報設定画面に入札が行われた場合、前記ユーザ情報に入札を行ったタクシー会社名、入札の利用料金を表示した会社・利用料金表示画面をＷｅｂ画面として作成する工程と、
ユーザの前記携帯電話端末に前記会社・利用料金表示画面のＷｅｂ画面に対して発注を行うようにとの文章を記載したメールを送信する工程と、
ユーザの前記携帯電話端末がアクセスし前記会社・利用料金表示画面からタクシー発注を行った場合、受注があったタクシー会社の管理端末に受注通知を行い、他のタクシー会社の管理端末に失注通知を行う工程とを備えることを特徴とする携帯電話端末を利用したタクシー利用料金決定方法。
【請求項７】
移動通信網を介してユーザの携帯電話端末とともにインターネットに接続される、携帯電話端末を利用したタクシー利用料金決定端末において、
前記インターネットに接続される前記管理端末がアクセスし、タクシー会社名、情報送信先メールアドレスを含む入力欄を表示するタクシー会社登録画面から登録した結果を登録済みタクシー会社のリストに保持するタクシー会社登録手段と、
ユーザの前記携帯電話端末がアクセスし、発注者名、メールアドレス、携帯電話番号、乗車場所、降車場所を含む入力欄を表示する前記タクシー発注画面からタクシー発注依頼を行った場合、ユーザ情報にタクシー会社名、利用料金の入力欄を表示したユーザ情報設定画面をＷｅｂ画面として作成し、前記タクシー会社登録手段の前記リストに保持されている登録済みタクシー会社の前記管理端末のすべてにユーザ情報設定画面のＷｅｂ画面に対して入札するようにとの文章を記載したメールを送信するユーザ情報設定手段と、
前記管理端末がアクセスし前記ユーザ情報設定手段の前記ユーザ情報設定画面に入札が行われた場合、前記ユーザ情報に入札を行ったタクシー会社名、入札の利用料金を表示した会社・利用料金表示画面をＷｅｂ画面として作成し、ユーザの前記携帯電話端末に前記会社・利用料金表示画面のＷｅｂ画面に対して発注を行うようにとの文章を記載したメールを送信する会社名／料金設定手段と、
ユーザの前記携帯電話端末がアクセスし前記会社名／料金設定手段の前記会社・利用料金表示画面からタクシー発注を行った場合、受注があったタクシー会社の管理端末に受注通知を行い、他のタクシー会社の管理端末に失注通知を行う発注結果通知手段とを備えることを特徴とする携帯電話端末を利用したタクシー利用料金決定端末。
【請求項８】
移動通信網を介してインターネットに接続される携帯電話端末を利用してタクシー利用料金決定をコンピュータで実行させるプログラムにおいて、
前記インターネットに接続される前記管理端末がアクセスし、タクシー会社名、情報送信先メールアドレスを含む入力欄を表示するタクシー会社登録画面から登録した結果を登録済みタクシー会社のリストに保持する手順と、
ユーザの前記携帯電話端末がアクセスし、発注者名、メールアドレス、携帯電話番号、乗車場所、降車場所を含む入力欄を表示する前記タクシー発注画面からタクシー発注依頼を行った場合、ユーザ情報にタクシー会社名、利用料金の入力欄を表示したユーザ情報設定画面をＷｅｂ画面として作成し、前記リストに保持されている登録済みタクシー会社の前記管理端末のすべてにユーザ情報設定画面のＷｅｂ画面に対して入札するようにとの文章を記載したメールを送信する手順と、
前記管理端末がアクセスし前記ユーザ情報設定画面に入札が行われた場合、前記ユーザ情報に入札を行ったタクシー会社名、入札の利用料金を表示した会社・利用料金表示画面をＷｅｂ画面として作成し、ユーザの前記携帯電話端末に前記会社・利用料金表示画面のＷｅｂ画面に対して発注を行うようにとの文章を記載したメールを送信する手順と、
ユーザの前記携帯電話端末がアクセスし前記会社・利用料金表示画面からタクシー発注を行った場合、受注があったタクシー会社の管理端末に受注通知を行い、他のタクシー会社の管理端末に失注通知を行う手順とを備えることを特徴とする携帯電話端末を利用したタクシー利用料金決定をコンピュータで実行させるプログラム。
【発明の詳細な説明】
【０００１】
【発明が属する技術分野】
本発明は携帯電話端末を利用したタクシー利用料金決定システムに関する。特に、本発明は、携帯電話端末を利用したタクシー利用料金決定方法、端末、コンピュータで実行させるプログラムに関する。
【０００２】
【従来の技術】
従来のタクシー利用料金支払い方式では、大抵の場合、単純にタクシー会社を選択して利用することなく、タクシーを拾って利用し、降車場所にて料金メータに表示されている金額を手渡しで支払うということを行っているために、
（１）料金によりタクシー会社を選択することが困難であり、
（２）乗車位置から降車位置まで通る経路、時間帯により料金に大幅な差が発生するという問題点があった。
【０００３】
このような問題点に対して、従来のタクシー配車システムでは、ユーザが複数のタクシー会社のうち、所望のタクシー会社を予約できるようにしている（例えば、特許文献１参照。）。
さらに、従来のタクシー双方向入札システムでは、乗客の希望に沿うタクシー業者を探し、乗客に希望を入札によって伝えるようにしている（特許文献２参照。）。
【０００４】
【特許文献１】
特開２００２−０２４３４３（段落００２２〜００２６、図２）
【特許文献２】
特開２００２−３６６７９９（段落００１８〜００２４、図１）
【０００５】
【発明が解決しようとする課題】
しかしながら、上記の従来技術では、最近のタクシー利用料金の大幅な自由化に伴うタクシー会社間の競争の発生に対応することができず、ユーザにとって希望に沿った利用料金を判断することができないという問題がある。
さらに、タクシー会社間の競争が発生しているので、多くのタクシー会社から乗車するタクシー会社を選択し、タクシー会社の利用料金の活性化を図りたいという課題がある。
【０００６】
さらに、道路の渋滞、時間帯による利用料金の増加を、メータを見ながら、気にせず、安心して利用したいという課題がある。
したがって、本発明は上記問題点、課題点に鑑みて、利用料金の判断で困惑する必要がなく、利用料金の活性化を可能にし、道路の渋滞、時間帯による利用料金の増加を気にする必要がない、携帯電話端末を利用したタクシー利用料金決定システム、方法、端末及びコンピュータを実行させるプログラムを提供することを目的とする。
【０００７】
【課題を解決するための手段】
本発明は前記問題点を解決するために、移動通信網を介してインターネットに接続されるユーザの携帯電話端末を利用したタクシー利用料金決定システムにおいて、前記インターネットに接続されるタクシー会社の管理端末と、前記インターネットに接続され、発注者名、メールアドレス、携帯電話番号、乗車場所、降車場所を含む入力欄を表示するタクシー発注画面、タクシー会社名、情報送信先メールアドレスを含む入力欄を表示するタクシー会社登録画面をＷｅｂ画面として有するサーバ端末とを設け、前記サーバ端末は、前記管理端末がアクセスしタクシー会社登録画面から登録した結果を登録済みタクシー会社のリストに保持するタクシー会社登録手段と、ユーザの前記携帯電話端末がアクセスし前記タクシー発注画面からタクシー発注依頼を行った場合、ユーザ情報にタクシー会社名、利用料金の入力欄を表示したユーザ情報設定画面をＷｅｂ画面として作成し、前記タクシー会社登録手段の前記リストに保持されている登録済みタクシー会社の前記管理端末のすべてにユーザ情報設定画面のＷｅｂ画面に対して入札するようにとの文章を記載したメールを送信するユーザ情報設定手段と、前記管理端末がアクセスし前記ユーザ情報設定手段の前記ユーザ情報設定画面に入札が行われた場合、前記ユーザ情報に入札を行ったタクシー会社名、入札の利用料金を表示した会社・利用料金表示画面をＷｅｂ画面として作成し、ユーザの前記携帯電話端末に前記会社・利用料金表示画面のＷｅｂ画面に対して発注を行うようにとの文章を記載したメールを送信する会社名／料金設定手段と、ユーザの前記携帯電話端末がアクセスし前記会社名／料金設定手段の前記会社・利用料金表示画面からタクシー発注を行った場合、受注があったタクシー会社の管理端末に受注通知を行い、他のタクシー会社の管理端末に失注通知を行う発注結果通知手段とを備えることを特徴とする携帯電話端末を利用したタクシー利用料金決定システムを提供する。
【０００８】
この手段により、携帯電話端末を利用して各タクシー会社に対し、利用区間に対する利用料金を提示させ、各タクシー会社の目的地までの利用料金が明確になり、利用料金を容易に比較することが可能になるので、有利な条件で利用するタクシー会社を選択することが可能になる。
さらに、タクシー会社が利用料金を決定しユーザ側に通知した際に、ユーザから選択されなければ、受注が減少し、利用料金を減額する努力を各タクシー会社が行うので、各タクシー会社の利用料金の競争を活性化することが可能になる。
【０００９】
さらに、乗車場所と降車場所から各タクシー会社が固定利用料金を算出し、乗車時に前払いでユーザが支払いを行うので、道路の渋滞、経路、時間帯による利用料金の増加を、メータを見ながら、気にせず安心して利用することが可能になる。
さらに、前記サーバ端末は、前記タクシー発注画面、前記タクシー会社登録画面をＷｅｂ画面としてそれぞれ作成するＷｅｂページ作成手段を備える。
【００１０】
この手段により、本携帯電話端末を利用したタクシー利用料金決定システムの開始前にＷｅｂページ作成を完了させることが可能になる。
さらに、前記サーバ端末から発注通知のあった前記管理端末は、携帯電話端末を有するタクシーからユーザの乗車場所に近いタクシーを選択し、選択したタクシーとユーザの前記携帯電話端末に受注受付番号、タクシー車両番号、ユーザ名、乗車場所、降車場所、利用料金を含む情報を記載したメールを送信し、前記タクシー車両の携帯電話端末ではドライバーが乗車場所でユーザから利用料金を前払いで受領したとき又は降車場所でユーザを降ろしたとき、受領完了の返信メールを管理端末に送信する。
【００１１】
この手段により、乗車するタクシー車両の判別、ユーザの認証が可能になる。
さらに、前記ユーザ情報設定手段は、ユーザが前記タクシー発注画面上からデータを入力し、入力したデータを前記サーバ端末に送信した場合、案件毎の整理番号である案件番号を重複のないように１ずつカウントアップする方式で決定して、一日単位、週単位、月単位で整理番号をリセットし、前記ユーザ情報設定画面に決定した案件番号を記載する案件番号設定手段を備える。
【００１２】
この手段により、案件を重複しないようにすることが可能になる。
前記タクシー会社登録手段は、前記管理端末がアクセスし前記タクシー会社登録画面から登録した結果を削除し、前記登録済みタクシー会社のリストを変更する。
この手段により、登録はタクシー会社の意思を尊重することが可能になる。
さらに、本発明は、移動通信網を介してインターネットに接続されるユーザの携帯電話端末を利用したタクシー利用料金決定方法において、前記インターネットにタクシー会社の管理端末を接続する工程と、前記インターネットにサーバ端末を接続する工程と、前記サーバ端末のタクシー発注画面に発注者名、メールアドレス、携帯電話番号、乗車場所、降車場所を含む入力欄を表示する工程と、前記サーバ端末のタクシー会社登録画面のＷｅｂ画面にタクシー会社名、情報送信先メールアドレスを含む入力欄を表示する工程と、前記管理端末が前記サーバ端末にアクセスしタクシー会社登録画面から登録した結果を登録済みタクシー会社のリストに保持する工程と、ユーザの前記携帯電話端末が前記サーバ端末にアクセスし前記タクシー発注画面からタクシー発注依頼を行った場合、ユーザ情報にタクシー会社名、利用料金の入力欄を表示したユーザ情報設定画面をＷｅｂ画面として作成する工程と、前記リストに保持されている登録済みタクシー会社の前記管理端末のすべてに前記ユーザ情報設定画面のＷｅｂ画面に対して入札するようにとの文章を記載したメールを送信する工程と、前記管理端末がアクセスし前記ユーザ情報設定画面に入札が行われた場合、前記ユーザ情報に入札を行ったタクシー会社名、入札の利用料金を表示した会社・利用料金表示画面をＷｅｂ画面として作成する工程と、ユーザの前記携帯電話端末に前記会社・利用料金表示画面のＷｅｂ画面に対して発注を行うようにとの文章を記載したメールを送信する工程と、ユーザの前記携帯電話端末がアクセスし前記会社・利用料金表示画面からタクシー発注を行った場合、受注があったタクシー会社の管理端末に受注通知を行い、他のタクシー会社の管理端末に失注通知を行う工程とを備えることを特徴とする携帯電話端末を利用したタクシー利用料金決定方法を提供する。
【００１３】
この手段により、携帯電話端末を利用して各タクシー会社に対し、利用区間に対する利用料金を提示させ、各タクシー会社の目的地までの利用料金が明確になり、利用料金を容易に比較することが可能になるので、有利な条件で利用するタクシー会社を選択することが可能になる。
さらに、タクシー会社が利用料金を決定しユーザ側に通知した際に、ユーザから選択されなければ、受注が減少し、利用料金を減額する努力を各タクシー会社が行うので、各タクシー会社の利用料金の競争を活性化することが可能になる。
【００１４】
さらに、乗車場所と降車場所から各タクシー会社が固定利用料金を算出し、乗車時に前払いでユーザが支払いを行うので、道路の渋滞、経路、時間帯による利用料金の増加を、メータを見ながら、気にせず安心して利用することが可能になる。
さらに、本発明は、移動通信網を介してユーザの携帯電話端末とともにインターネットに接続される、携帯電話端末を利用したタクシー利用料金決定端末において、前記インターネットに接続される前記管理端末がアクセスし、タクシー会社名、情報送信先メールアドレスを含む入力欄を表示するタクシー会社登録画面から登録した結果を登録済みタクシー会社のリストに保持するタクシー会社登録手段と、ユーザの前記携帯電話端末がアクセスし、発注者名、メールアドレス、携帯電話番号、乗車場所、降車場所を含む入力欄を表示する前記タクシー発注画面からタクシー発注依頼を行った場合、ユーザ情報にタクシー会社名、利用料金の入力欄を表示したユーザ情報設定画面をＷｅｂ画面として作成し、前記タクシー会社登録手段の前記リストに保持されている登録済みタクシー会社の前記管理端末のすべてにユーザ情報設定画面のＷｅｂ画面に対して入札するようにとの文章を記載したメールを送信するユーザ情報設定手段と、前記管理端末がアクセスし前記ユーザ情報設定手段の前記ユーザ情報設定画面に入札が行われた場合、前記ユーザ情報に入札を行ったタクシー会社名、入札の利用料金を表示した会社・利用料金表示画面をＷｅｂ画面として作成し、ユーザの前記携帯電話端末に前記会社・利用料金表示画面のＷｅｂ画面に対して発注を行うようにとの文章を記載したメールを送信する会社名／料金設定手段と、ユーザの前記携帯電話端末がアクセスし前記会社名／料金設定手段の前記会社・利用料金表示画面からタクシー発注を行った場合、受注があったタクシー会社の管理端末に受注通知を行い、他のタクシー会社の管理端末に失注通知を行う発注結果通知手段とを備えることを特徴とする携帯電話端末を利用したタクシー利用料金決定端末を提供する。
【００１５】
この手段により、携帯電話端末を利用して各タクシー会社に対し、利用区間に対する利用料金を提示させ、各タクシー会社の目的地までの利用料金が明確になり、利用料金を容易に比較することが可能になるので、有利な条件で利用するタクシー会社を選択することが可能になる。
さらに、タクシー会社が利用料金を決定しユーザ側に通知した際に、ユーザから選択されなければ、受注が減少し、利用料金を減額する努力を各タクシー会社が行うので、各タクシー会社の利用料金の競争を活性化することが可能になる。
【００１６】
さらに、乗車場所と降車場所から各タクシー会社が固定利用料金を算出し、乗車時に前払いでユーザが支払いを行うので、道路の渋滞、経路、時間帯による利用料金の増加を、メータを見ながら、気にせず安心して利用することが可能になる。
さらに、移動通信網を介してインターネットに接続される携帯電話端末を利用してタクシー利用料金決定をコンピュータで実行させるプログラムにおいて、前記インターネットに接続される前記管理端末がアクセスし、タクシー会社名、情報送信先メールアドレスを含む入力欄を表示するタクシー会社登録画面から登録した結果を登録済みタクシー会社のリストに保持する手順と、ユーザの前記携帯電話端末がアクセスし、発注者名、メールアドレス、携帯電話番号、乗車場所、降車場所を含む入力欄を表示する前記タクシー発注画面からタクシー発注依頼を行った場合、ユーザ情報にタクシー会社名、利用料金の入力欄を表示したユーザ情報設定画面をＷｅｂ画面として作成し、前記リストに保持されている登録済みタクシー会社の前記管理端末のすべてにユーザ情報設定画面のＷｅｂ画面に対して入札するようにとの文章を記載したメールを送信する手順と、前記管理端末がアクセスし前記ユーザ情報設定画面に入札が行われた場合、前記ユーザ情報に入札を行ったタクシー会社名、入札の利用料金を表示した会社・利用料金表示画面をＷｅｂ画面として作成し、ユーザの前記携帯電話端末に前記会社・利用料金表示画面のＷｅｂ画面に対して発注を行うようにとの文章を記載したメールを送信する手順と、ユーザの前記携帯電話端末がアクセスし前記会社・利用料金表示画面からタクシー発注を行った場合、受注があったタクシー会社の管理端末に受注通知を行い、他のタクシー会社の管理端末に失注通知を行う手順とを備えることを特徴とする携帯電話端末を利用したタクシー利用料金決定をコンピュータで実行させるプログラムを提供する。
この手段により、携帯電話端末を利用して各タクシー会社に対し、利用区間に対する利用料金を提示させ、各タクシー会社の目的地までの利用料金が明確になり、利用料金を容易に比較することが可能になるので、有利な条件で利用するタクシー会社を選択することが可能になる。
【００１７】
さらに、タクシー会社が利用料金を決定しユーザ側に通知した際に、ユーザから選択されなければ、受注が減少し、利用料金を減額する努力を各タクシー会社が行うので、各タクシー会社の利用料金の競争を活性化することが可能になる。
さらに、乗車場所と降車場所から各タクシー会社が固定利用料金を算出し、乗車時に前払いでユーザが支払いを行うので、道路の渋滞、経路、時間帯による利用料金の増加を、メータを見ながら、気にせず安心して利用することが可能になる。
【００１８】
【発明の実施の形態】
以下、本発明の実施の形態について図面を参照して説明する。
図１は本発明に係る携帯電話端末を利用したタクシー利用料金決定システムの概略全体構成を示すブロック図である。なお、全図を通して同一の構成要素には同一の番号、符号を付して説明を行う。
本図に示すように、インターネット１０１には移動通信網１０２が接続される。
【００１９】
移動通信網１０２には複数のＲ１携帯電話端末１０３、複数のＲ２携帯電話端末１０４が無線で接続され、Ｒ１携帯電話端末１０３、Ｒ２携帯電話端末１０４は移動通信網１０２を介してインターネット１０１にアクセスすることが可能である。
Ｒ１携帯電話端末１０３はタクシーを利用するユーザに所有され、Ｒ２携帯電話端末１０４はタクシーの車両内に備え付けられる。
【００２０】
Ｒ１携帯電話端末１０３、Ｒ２携帯電話端末１０４はメールの送受信機能、Ｗｅｂ画面参照可能である機能をそれぞれ有する。
さらに、インターネット１０１には複数のＡ１タクシー会社１１１、Ａ２タクシー会社１１２、Ａ３タクシー会社１１３により所有されるＡ１管理端末１２１、Ａ２管理端末１２２、Ａ３管理端末１２３がそれぞれ接続され、Ａ１管理端末１２１、Ａ２管理端末１２２、Ａ３管理端末１２３はメールサーバ機能とＷｅｂサーバ機能を有する。
【００２１】
さらに、インターネット１０１には情報送信会社のサーバ端末１３１が接続され、サーバ端末１３１はメールサーバ機能とＷｅｂサーバ機能を有するコンピュータ等の情報処理装置であり、メールサーバ機能、Ｗｅｂサーバ機能を動作させるプログラムを有する。このプログラムはコンピュータで読み取り可能な記録媒体に記録され、この記録媒体で他のコンピュータの利用を可能とする。
【００２２】
さらに、サーバ端末１３１にはＷｅｂページ作成手段１４１が設けられ、Ｗｅｂページ作成手段１４１はタクシー発注画面、タクシー会社登録画面を作成する。
さらに、情報送信会社のサーバ端末１３１にはタクシー会社登録手段１４２が設けられ、タクシー会社登録手段１４２は、タクシー会社登録画面から登録された情報に基づいて登録済みタクシー会社のリストのテーブルにタクシー会社の登録を行う。
【００２３】
さらに、情報送信会社のサーバ端末１３１にはユーザ情報設定手段１４３が設けられ、ユーザ情報設定手段１４３はＷｅｂページ作成手段１４１のタクシー発注画面から入力されたユーザの情報を画面に設定し、タクシー会社登録手段１４２でテーブルに登録されたリストにある登録済みタクシー会社に利用料金の設定を要求する。
【００２４】
さらに、情報送信会社のサーバ端末１３１には会社名／料金設定手段１４４が設けられ、会社名／料金設定手段１４４は登録済みタクシー会社がユーザ情報設定手段１４３のユーザ情報の設定画面にタクシー会社名、利用料金を設定した画面を示し、ユーザにタクシー会社を決定させる。
さらに、サーバ端末１３１には発注結果通知手段１４５が設けられ、発注結果通知手段１４５は受注があったタクシー会社に受注の通知を行い、それ以外のタクシー会社に失注の通知を行う。
【００２５】
以下に、説明を簡単にするために、ユーザがＡＢＣ駅北口交番前から乗車してＸＹＺ駅南口まで乗る予定のタクシーを利用するユーザ（本システムでの発注者）が、Ｒ１携帯電話端末１０３を使ってタクシーを発注し、Ａ１タクシー会社１１１、Ａ２タクシー会社１１２、Ａ３タクシー会社１１３からなる３社のタクシー会社から通知された利用料金を比較の結果、最終的にＡ１タクシー会社１１１に発注を決定し、配車されたＡ１タクシー会社１１１のタクシー車両Ｃ１に乗って、乗車場所から降車場所まで到達する場合の例を用いて説明を行う。
【００２６】
図２はＷｅｂページ作成手段１４１により作成されるタクシー発注画面のユーザ入力フォーマットのＷｅｂ画面例を示す図である。
本図（ａ）に示すように、Ｗｅｂページ作成手段１４１で作成されるタクシー発注画面には、発注者名、メールアドレス、携帯電話番号、乗車場所、降車場所の入力欄、送信ボタンが設けられる。
ユーザのＲ１携帯電話端末１０３がサーバ端末１３１にアクセスするとタクシー発注画面が表示される。
【００２７】
本図（ｂ）に示すように、一例として、ユーザのＲ１携帯電話端末１０３で、表示されるタクシー発注画面の発注者名には「特許太郎」、メールアドレスには「ｔａｒｏ＠ａｂｃ．ｄｅｆ．ｎｅ．ｊｐ」、携帯電話番号には「０９０１１１１２２２２」、乗車場所には「ＡＢＣ駅北口交番前」、降車場所には「ＸＹＺ駅南口」のように入力し、送信ボタンが押下される。
すなわち、ユーザはこのような入力を行い、タクシーの発注を行う。
【００２８】
図３はＷｅｂページ作成手段１４１により作成されるタクシー会社登録フォーマットのＷｅｂ画面例を示す図である。
本図に示すように、Ｗｅｂページ作成手段１４１で作成されるタクシー会社登録画面には、タクシー会社名、情報送信先メールアドレスの入力欄、登録ボタン、削除ボタンが設けられる。
【００２９】
Ａ１タクシー会社１１１のＡ１管理端末１２１、Ａ２タクシー会社１１２のＡ２管理端末１２２、Ａ３タクシー会社１１３のＡ３管理端末１２３がサーバ端末１３１にそれぞれアクセスすると、上記タクシー会社登録画面がそれぞれ表示され、携帯電話端末を利用したタクシー利用料金決定システムに登録、削除を行うことができる。
図４は図３でＷｅｂページ作成手段１４１により作成されるタクシー会社登録画面への入力例を示す図である。
【００３０】
本図（ａ）に示すように、Ａ１タクシー会社１１１のＡ１管理端末１２１で、表示されるタクシー会社登録画面のタクシー会社名に対して「Ａ１タクシー会社１１１」、送信先メールアドレス「ｔａｘｉ＠ａ１．ａ１．ｃｏ．ｊｐ」が入力され、登録ボタンが押下される。
本図（ｂ）に示すように、Ａ２タクシー会社１１２のＡ２管理端末１２２で、表示されるタクシー会社登録画面のタクシー会社名に対して「Ａ２タクシー会社１１２」、送信先メールアドレス「ｔａｘｉ＠ａ２．ａ２．ｃｏ．ｊｐ」が入力され、登録ボタンが押下される。
【００３１】
本図（ｃ）に示すように、Ａ３タクシー会社１１３のＡ３管理端末１２３で、表示されるタクシー会社登録画面のタクシー会社名に対して「Ａ３タクシー会社１１３」、送信先メールアドレス「ｔａｘｉ＠ａ３．ａ３．ｃｏ．ｊｐ」が入力され、登録ボタンが押下される。
すなわち、Ａ１タクシー会社１１１、Ａ２タクシー会社１１２、Ａ３タクシー会社１１３はこのような入力を行い、サーバ端末１３１への登録、削除を行う。
【００３２】
図５は情報送信会社の登録済みタクシー会社のリスト例を示す図である。本図に示すように、サーバ端末１３１には情報送信会社の登録済みタクシー会社リストがテーブルに形成され、登録済みタクシー会社リストは、タクシー会社名、情報送信先メールアドレスの欄を有し、図４の入力に対して、一例として、Ａ１タクシー会社１１１に対して「ｔａｘｉ＠ａ１．ａ１．ｃｏ．ｊｐ」、Ａ２タクシー会社１１２に対して「ｔａｘｉ＠ａ２．ａ２．ｃｏ．ｊｐ」、Ａ３タクシー会社１１３に対して「ｔａｘｉ＠ａ３．ａ３．ｃｏ．ｊｐ」のようにテーブルに保持される。
【００３３】
図６は図１におけるサーバ端末１３１のユーザ情報設定手段１４３の概略構成を示すブロック図である。
本図に示すように、情報送信会社におけるサーバ端末１３１のユーザ情報設定手段１４３は、案件番号設定手段１５１、Ｗｅｂページ作成手段１５２、ＵＲＬ（Ｕｎｉｆｏｒｍ  Ｒｅｓｏｕｒｃｅ  Ｌｏｃａｔｏｒ）設定手段１５３、メール作成／送信手段１５４とからなり、タクシー利用料金決定の動作を行うサーバ端末１３１上のプログラムである。
【００３４】
サーバ端末１３１のユーザ情報設定手段１４３の案件番号設定手段１５１は、ユーザが図２に示すタクシー発注画面上からデータを入力し、送信ボタンを押すことにより、入力したデータをサーバ端末１３１に送信すると、まず、案件毎の整理番号である案件番号を重複のないように１ずつカウントアップする方式で決定する。
【００３５】
なお、案件番号設定手段１５１では、桁数に関してオーバーフローしないように、一日単位、週単位、月単位で整理番号のリセットを行う等の処理を行うものとする。
図７はユーザ情報設定手段１４３のＷｅｂページ作成手段１５２で作成されたユーザ情報設定画面のＷｅｂ画面例を示す図である。
【００３６】
本図（ａ）に示すように、ユーザ情報設定手段１４３のＷｅｂページ作成手段１５２で作成するユーザ情報設定画面にはフォーマットとして、案件番号、発注者名、メールアドレス、携帯電話番号、乗車場所、降車場所、タクシー会社名の入力欄、利用料金の入力欄、送信ボタンが設けられる。
本図（ｂ）に示すように、サーバ端末１３１にアクセスすると、Ａ１タクシー会社１１１のＡ１管理端末１２１、Ａ２タクシー会社１１２のＡ２管理端末１２２、Ａ３タクシー会社１１３のＡ３管理端末１２３には入札用のユーザ情報設定画面が表示され、入札用のユーザ情報設定画面では、フォーマットの画面に対して、ユーザデータと案件番号設定手段１５１で決定した案件番号に基づき、一例として、案件番号「０００００１」、発注者名に「特許太郎」、メールアドレス「ｔａｒｏ＠ａｂｃ．ｄｅｆ．ｎｅ．ｊｐ」、携帯電話番号「０９０１１１１２２２２」、乗車場所「ＡＢＣ駅北口交番前」、降車場所「ＸＹＺ駅南口」の固定のユーザデータが共通に設定され、タクシー会社名及び利用料金の入力欄が空白欄となっている。
【００３７】
図８は図７で作成されたユーザ情報設定画面への入札例を示す図である。
本図（ａ）に示すように、Ａ１タクシー会社１１１が利用料金を１８００円で入札する場合、タクシー会社名に対して「Ａ１タクシー会社１１１」、利用料金に対して「１８００」円と入力し、送信ボタンを押下する。
本図（ｂ）に示すように、Ａ２タクシー会社１１２が利用料金を１９００円で入札する場合、タクシー会社名に対して「Ａ２タクシー会社１１２」、利用料金に対して「１９００」円と入力し、送信ボタンを押下する。
【００３８】
本図（ｃ）に示すように、Ａ３タクシー会社１１３が利用料金を２０００円で入札する場合、タクシー会社名に対して「Ａ３タクシー会社１１３」、利用料金に対して「２０００」円と入力し、送信ボタンを押下する。
案件番号、発注者名、メールアドレス、携帯電話番号、乗車場所、降車場所のデータは固定で、単なるテキスト表記等変更できないものとし、タクシー会社名、利用料金のみ入力可能とする。
【００３９】
図９はユーザ情報設定手段１４３のメール作成／送信手段１５４により作成され、ＵＲＬ設定手段１５３によりＵＲＬが記載され、タクシー会社に送信される入札依頼のメール文章例を示す図である。
本図（ａ）、（ｂ）、（ｃ）に示すように、一例として、ユーザ情報設定手段１４３のメール作成／送信手段１５４では、メール文章の始めに、Ａ１タクシー会社１１１、Ａ２タクシー会社１１２、Ａ３タクシー会社１１３へのアドレスをそれぞれ記載し、その後のメール文章には、「ユーザから受注がありました。入札してください。」と記載する。
【００４０】
ＵＲＬ設定手段１５３は、Ｗｅｂページ作成手段１５２の処理を行って完成したＷｅｂ画面のコンテンツのロケーション（ＵＲＬ）を決定し、サーバ端末１３１のＷｅｂサーバ機能により本Ｗｅｂ画面が図７（ｂ）に示すように、参照可能となるディレクトリにコンテンツを置くものとする。
本図の例では、「入札してください。」にＵＲＬ設定手段１５３で決定された図７（ｂ）のＷｅｂページのＵＲＬをリンクして記載部分のクリックによりＷｅｂページへのアクセスを可能にする。
【００４１】
この他に、直接、ＵＲＬを表示して手入力で図７（ｂ）のＷｅｂページにアクセスするようにしてもよく、さらに、ＵＲＬを表示すると同時に記載し、記載部分のクリックにより図７（ｂ）のＷｅｂページにアクセスするようにしてもよい。
メール作成／送信手段１５４は、ＵＲＬ設定手段１５３によりＵＲＬが記載されたメールを、情報送信会社の登録済みタクシー会社リストのテーブル（図５参照）に記載されている全ての宛先（情報送信先メールアドレス）に対して送信する。
【００４２】
図１０は図１におけるサーバ端末１３１の会社名／料金設定手段１４４の概略構成を示すブロック図である。
本図に示すように、情報送信会社におけるサーバ端末１３１の会社名／料金設定手段１４４は、Ｗｅｂページ作成手段１６１、ＵＲＬ設定手段１６２、メール作成／送信手段１６３とからなり、タクシー利用料金決定の動作を行うサーバ端末１３１上のプログラムである。
【００４３】
図１１は会社名／料金設定手段１４４のＷｅｂページ作成手段１６１により作成される会社・利用料金表示画面のＷｅｂ画面例を示す図である。
本図（ａ）に示すように、会社名／料金設定手段１４４のＷｅｂページ作成手段１６１で作成される会社・利用料金表示画面には、フォーマットとして、案件番号、発注者名、メールアドレス、携帯電話番号、乗車場所、降車場所、タクシー会社名、利用料金、発注ボタンが設けられる。
【００４４】
発注ボタンは、押した際にサーバ端末１３１に発注対象になったタクシー会社名を送信するものとする。
本図（ｂ）に示すように、会社名／料金設定手段１４４のＷｅｂページ作成手段１６１では、入札結果を示す会社・利用料金表示画面に、ユーザデータ、ユーザ情報設定手段１４３の案件番号設定手段１５１で決定した案件番号、ユーザ情報設定手段１４３のユーザ情報設定画面の入力欄への入札結果を基に、一例として、案件番号「０００００１」、発注者名に「特許太郎」、メールアドレス「ｔａｒｏ＠ａｂｃ．ｄｅｆ．ｎｅ．ｊｐ」、携帯電話番号「０９０１１１１２２２２」、乗車場所「ＡＢＣ駅北口交番前」、降車場所「ＸＹＺ駅南口」、タクシー会社名、利用料金について、「Ａ１タクシー会社１１１」に対して、「１８００」円、「Ａ２タクシー会社１１２」に対して、「１９００」円、「Ａ３タクシー会社１１３」に対して、「２０００」円の表示を行う。
【００４５】
発注ボタン以外は全て固定で、単なるテキスト表記等変更できないものとする。
ユーザのＲ１携帯電話端末１０３がサーバ端末１３１にアクセスすると、Ｒ１携帯電話端末１０３に入札結果が入力された会社・利用料金表示画面が表示される。
【００４６】
ここで、ユーザが、一例として、一番低廉な利用料金を提示したＡ１タクシー会社１１１に発注を決定してＡ１タクシー会社１１１に属する発注ボタンを押すことにより、Ａ１タクシー会社１１１のタクシー会社名をサーバ端末１３１に対して送信することが可能である。
このように、携帯電話端末を利用して各タクシー会社に対し、利用区間に対する利用料金を提示させ、各タクシー会社の目的地までの利用料金が明確になり、利用料金を容易に比較することが可能になる。
【００４７】
図１２は会社名／料金設定手段１４４のメール作成／送信手段１６３に作成され、ＵＲＬ設定手段１６２によりＵＲＬが記載され、ユーザに送信される発注依頼のメール文章例を示す図である。
本図に示すように、一例として、会社名／料金設定手段１４４のメール作成／送信手段１６３では、メール文章の始めに、ユーザのアドレスを記載し、その後に「タクシー会社の入札がありました。発注をしてください。」と記載する。
【００４８】
ＵＲＬ設定手段１６２は、Ｗｅｂページ作成手段１６１の処理を行って完成したＷｅｂ画面のコンテンツのロケーション（ＵＲＬ）を決定し、サーバ端末１３１のＷｅｂサーバ機能により本Ｗｅｂ画面が図１１（ｂ）に示すように、参照可能となるディレクトリにコンテンツを置くものとする。
本図の例では、「発注してください。」にＵＲＬ設定手段１６２で決定された図１１（ｂ）のＷｅｂページのＵＲＬをリンクして記載部分のクリックによりＷｅｂページへのアクセスを可能にする。
【００４９】
この他に、直接、ＵＲＬを表示して手入力で図１１（ｂ）のＷｅｂページにアクセスするようにしてもよく、さらに、ＵＲＬを表示すると同時に記載し、記載部分のクリックにより図１１（ｂ）のＷｅｂページにアクセスするようにしてもよい。
メール作成／送信手段１６３は、ＵＲＬ設定手段１６２によりＵＲＬが記載されたメールをユーザの携帯電話端末１０３の宛先メールアドレスに対して送信する。
【００５０】
図１３は図１における発注結果通知手段１４５により通知されるメール文章例を示す図である。
本図（ａ）、（ｂ）、（ｃ）に示すように、一例として、メール文章の始めに、Ａ１タクシー会社１１１、Ａ２タクシー会社１１２、Ａ３タクシー会社１１３へのアドレスを記載し、本図（ａ）に示すメール文章には、「案件番号：０００００１のユーザから受注が決定しましたのでお知らせいたします。ユーザとの間で直接受注処理を行ってください。」と記載され、受注決定を通知し、本図（ｂ）、本図（ｃ）に示すメール文章には、「案件番号：０００００１のユーザから受注がありませんでしたので通知いたします。」と記載され、失注決定を通知する。
【００５１】
図１４はユーザとの直接受注処理を説明する図である。本図に示すように、Ａ１タクシー会社１１１では、サーバ端末１３１の発注結果通知手段１４５から受注決定の通知を受けると、まず、無線で今回の乗車場所であるＡＢＣ駅北口交番前の一番近くを走行中で、かつ空車であるタクシー車両Ｃ１を配車決定し、Ａ１管理端末１２１から、ユーザの携帯電話端末１０３、タクシー車両Ｃ１に搭載されているＲ２携帯電話端末１０４に、会社独自の受注受付番号、タクシー車両の番号、ユーザ名、乗車場所、降車場所、利用料金を明記したメールを以下のように送信する。
【００５２】
図１５は図１４のＡ１管理端末１２１とタクシー車両Ｃ１のＲ２携帯電話端末１０４、ユーザのＲ１携帯電話端末１０３との間のメール文章の内容を説明する図である。
本図（ａ）に示すように、Ａ１管理端末１２１からタクシー車両Ｃ１のＲ２携帯電話端末１０４、ユーザのＲ１携帯電話端末１０３へのメール文章の始めには、それぞれのアドレスを表示し、その後に、一例として、「受注受付番号：１２３４」、「車両番号：１００」、「ユーザ名：特許太郎」、「乗車場所：ＡＢＣ駅北口交番前」、「降車場所：ＸＹＺ駅南口」、「利用料金：１８００円」と表示される。
【００５３】
本図（ｂ）に示すように、タクシー車両Ｃ１からＡ１管理端末１２１への返信メールには文章の始めに、一例として、Ａ１管理端末１２１のアドレス、次に利用料金受領完了が表示され、その後に本図（ａ）と同様の内容が複写される。
【００５４】
タクシー車両Ｃ１がユーザである特許太郎の元に到着すると、ユーザである特許太郎はＡ１タクシー１１１のタクシー車両のうちメールで通知済みの車両番号１００で、乗車するタクシー車両を判別する。
タクシー車両Ｃ１のドライバーは、タクシー車両Ｃ１に搭載されているＲ２携帯電話端末１０４で受信したメールとユーザである特許太郎のＲ１携帯電話端末１０３で受信したメールの内容を照合することで、ユーザの本人認証を行う。
【００５５】
本人認証が完了した時点で、ユーザである特許太郎は、タクシー車両Ｃ１のドライバーに対して、本タクシー利用料金決定システムより既に決定し、メールで最終的に通知されている利用料金１８００円を前払いで支払う。
最後に、ユーザである特許太郎から料金収受を行ったとき、又は、降車場所であるＸＹＺ駅南口でユーザである特許太郎を降ろしたとき、タクシー車両Ｃ１のドライバーはメール（図１５（ａ）参照）の返信メール（図１５（ｂ）参照）をＡ１管理端末１２１へ送信し、これで、一連のタクシー利用料金決定システムが完了する。
【００５６】
このようにして、タクシー車両の判別、ユーザの認証が可能になり、料金収受でタクシー利用料金決定システムの一連の動作が完了する。
このようにして、乗車場所と降車場所から各タクシー会社が固定利用料金を算出し、乗車時に前払いでユーザが支払いを行うので、道路の渋滞、経路、時間帯による利用料金の増加を、メータを見ながら、気にせず安心して利用することが可能になる。
【００５７】
図１６は図１におけるサーバ端末１３１のＷｅｂページ作成手段１４１の事前処理を説明するフローチャートである。
情報送信会社のサーバ端末１３１のＷｅｂページ作成手段１４１はタクシー料金支払の動作を行うサーバ端末１３１上のプログラムではなく、システムを開始するにあたっての事前処理を以下のように行う。
【００５８】
本図に示すように、ステップＳ２０１において、Ｗｅｂページ作成手段１４１では、タクシーを利用する各ユーザのＲ１携帯電話端末１０３が本タクシー利用料金決定システムを利用する際にアクセスするタクシー発注画面（図２（ａ）を参照）を作成する。
【００５９】
ステップＳ２０２において、Ｗｅｂページ作成手段１４１では、一例として、Ａ１タクシー会社１１１のＡ１管理端末１２１、Ａ２タクシー会社１１２のＡ２管理端末１２２、Ａ３タクシー会社１１３のＡ３管理端末１２３が本タクシー利用料金決定システムへの登録をそれぞれ行う際にアクセスするタクシー会社登録画面（図３を参照）作成する。
【００６０】
このようにして、情報送信会社では、サーバ端末１３１にタクシー発注画面、タクシー会社登録画面の作成を行い、それぞれのＷｅｂ画面のコンテンツをサーバ端末１３１の適切なディレクトリに置くことで、Ｗｅｂサーバ機能により、Ａ１管理端末１２１、Ａ２管理端末１２２、Ａ３管理端末１２３、ユーザのＲ１携帯電話端末１０３から参照可能になるものとする。
【００６１】
本タクシー利用料金決定システム内全てのＷｅｂ画面及び送信ボタン、発注ボタンを押すことによる情報の送信に関しては、ＨＴＭＬ（Ｈｙｐｅｒｔｅｘｔ  Ｍａｒｋｕｐ  Ｌａｎｇｕａｇｅ）等のマークアップ言語、ＣＧＩ（Ｃｏｍｍｏｎ  Ｇａｔｅｗａｙ  Ｉｎｔｅｒｆａｃｅ）等のプログラムを使用して作成するものとし、本タクシー利用料金決定システム開始時にＷｅｂページ作成手段１４１が既に完了しているものとする。
【００６２】
具体的には、本タクシー利用料金決定システムを開始する時点においては、Ａ１タクシー会社１１１、Ａ２タクシー会社１１２、Ａ３タクシー会社１１３に発注するユーザがＲ１携帯電話端末１０３からタクシー発注画面にアクセス可能で、本タクシー利用料金決定システムに登録を希望する各Ａ１タクシー会社１１１、Ａ２タクシー会社１１２、Ａ３タクシー会社１１３が登録時にアクセスするタクシー会社登録画面にアクセス可能な状態になっているものとする。
【００６３】
図１７は図１におけるサーバ端末１３１のタクシー会社登録手段１４２の動作例を説明する図である。
情報送信会社におけるサーバ端末１３１のタクシー会社登録手段１４２は、タクシー利用料金決定の動作を行うサーバ端末１３１上のプログラムで以下のように動作する。
【００６４】
本図に示すように、ステップＳ２１１において、本タクシー利用料金決定システムに対し登録を希望するＡ１タクシー会社１１１、Ａ２タクシー会社１１２、Ａ３タクシー会社１１３がＡ１管理端末１２１、Ａ２管理端末１２２、Ａ３管理端末１２３からサーバ端末１３１上のタクシー会社登録手段１４２にアクセスし、図４に示すように、タクシー会社登録画面に対して、タクシー会社名、情報送信先メールアドレスを入力し、登録ボタン又は削除ボタンを押下して、送信し、タクシー会社登録手段１４２ではこの情報を受信する。タクシー会社の登録、削除の意思を尊重するためである。
【００６５】
ステップＳ２１２において、タクシー会社登録手段１４２では、登録ボタン（図４参照）が押下されたか否かを判断する。
ステップＳ２１３において、登録ボタンが押下された場合、受信した会社名、メールアドレスのデータを情報送信会社の登録済みタクシー会社リスト（図５参照）に追加し、上記の２項目を入力情報として情報送信会社リストのテーブルに登録する処理を行い、処理を終了する。
【００６６】
ステップＳ２１４において、登録ボタンが押下されない場合、削除ボタンが押下されたか否かを判断する。削除ボタンが押下されていない場合、処理を終了する。
ステップＳ２１５において、削除ボタンが押下された場合、情報送信会社の登録済みタクシー会社リストのテーブルから受信した対象のタクシー会社名、情報送信先メールアドレスの対の登録を削除する変更処理を行い、処理を終了する。
【００６７】
なお、本タクシー利用料金決定システムの開始時にはタクシー会社登録手段１４２の動作は既に終了しているものとする。
このようにして、本タクシー利用料金決定システム稼動中、情報送信会社リストのテーブル更新は動的であるとする。
図１８は図６におけるユーザ情報設定手段１４３の一連の動作例を説明するフローチャートである。
【００６８】
本図に示すように、ステップＳ２２１において、ユーザ情報設定手段１４３ではユーザデータの入力を行う。
すなわち、ＡＢＣ駅北口交番前からＸＹＺ駅南口までタクシーを利用するユーザ（名前：特許太郎）がＲ１携帯電話端末１０３からサーバ端末１３１のタクシー発注画面（図２（ａ）を参照）にアクセスし、それぞれ発注者名、メールアドレス、携帯電話番号、乗車場所、降車場所を入力し、画面イメージが図２（ｂ）になった状態で、送信ボタンを押すと、ユーザ入力データがサーバ端末１３１に送信される。
【００６９】
ステップＳ２２２において、案件番号設定手段１５１では、ユーザ入力データを受信すると、各案件毎の整理番号を決定する。なお、本整理番号はこの処理においてカウントアップするものとし、重複することがないように設定するものとする。
ステップＳ２２３において、フォーマットページ作成手段１５２では、ユーザデータと上記案件番号を基に、ユーザ情報設定画面にタクシー会社が利用料金を入札するためのＷｅｂページ（図７（ｂ）を参照）を作成する。
【００７０】
ステップＳ２２４において、ＵＲＬ設定手段１５３では、フォーマットページ作成手段１５２で作成されたＷｅｂコンテンツのＵＲＬを決定し、適切なディレクトリに置くことにより、Ｗｅｂ参照可能な状態にする。
ステップＳ２２５において、メール作成／送信手段１５４では、ＵＲＬ設定手段１５３で作成されたＷｅｂページのＵＲＬを記載した入札依頼用のメール文章（図７（ｂ）参照）を作成し、情報送信会社の登録済みタクシー会社リスト（図５参照）に記載されている各タクシー会社の宛先に対して送信して処理を終了する。
【００７１】
図１９は図１０におけるサーバ端末１３１の会社名／料金設定手段１４４の動作例を説明するフローチャートである。
情報送信会社におけるサーバ端末１３１の会社名／料金設定手段１４４は、タクシー利用料金決定の動作を行うサーバ端末１３１上のプログラムで会社名／料金設定手段１４４のＷｅｂページ作成手段１６１、ＵＲＬ設定手段１６２、メール作成／送信手段１６３を用いて以下のように動作する。
【００７２】
本図に示すように、ステップＳ２３１において、Ａ１タクシー会社１１１のＡ１管理端末１２１、Ａ２タクシー会社１１２のＡ２管理端末１２２、Ａ３タクシー会社１１３のＡ３管理端末１２３の各々からの送信データを受信する。
ステップＳ２３２において、Ｗｅｂページ作成手段１６１を用いて、Ａ１タクシー会社１１１のＡ１管理端末１２１、Ａ２タクシー会社１１２のＡ２管理端末１２２、Ａ３タクシー会社１１３のＡ３管理端末１２３の各々から送信されたデータを基に、会社・利用料金表示画面のＷｅｂページ（図１１（ｂ）参照）を作成する。なお、図１１（ｂ）にある発注ボタンを押した際にサーバ端末１３１に発注対象になったタクシー会社名が送信されるものとする。
【００７３】
ステップＳ２３３において、ＵＲＬ設定手段１６２を用いて、ステップＳ２３２で作成されたＷｅｂコンテンツのＵＲＬを決定し、適切なディレクトリにおくことにより、Ｗｅｂ参照可能な状態にする。
ステップＳ２３４において、メール作成／送信手段１６３を用いて、ステップＳ２３３で作成されたＷｅｂページのＵＲＬを記載した発注依頼用のメール文章（図１２参照）を作成し、ユーザの宛先に送信して処理を終了する。
【００７４】
図２０は図１におけるサーバ端末１３１の発注結果通知手段１４５の動作例を説明するフローチャートである。
情報送信会社におけるサーバ端末１３１の発注結果通知手段１４５は、タクシー利用料金決定の動作を行うサーバ端末１３１上のプログラムで以下のように動作する。
【００７５】
本図に示すように、ステップＳ２４１において、サーバ端末１３１ではユーザのＲ１携帯電話端末１０３からＡ１タクシー会社１１１のタクシー会社名の受注を受信する。
ステップＳ２４２において、情報送信会社の登録済みタクシー会社のリスト（図５参照）にあるＡ１タクシー会社１１１のアドレスを使って受注のメール文章（図１３（ａ）参照）を作成し、Ａ１管理端末１２１にメールを送信する。
【００７６】
ステップＳ２４３において、情報送信会社の登録済みタクシー会社のリスト（図５参照）にあるＡ２タクシー会社１１２のアドレスを使って失注のメール文章（図１３（ｂ）参照）を作成し、Ａ２管理端末１２２にメールを送信する。
ステップＳ２４４において、情報送信会社の登録済みタクシー会社のリスト（図５参照）にあるＡ３タクシー会社１１３のアドレスを使って失注のメール文章（図１３（ｃ）参照）を作成し、Ａ３管理端末１２３にメールを送信し、処理を終了する。
【００７７】
このように、タクシー会社が利用料金を決定しユーザ側に通知した際に、ユーザから選択されなければ、受注が減少し、利用料金を減額する努力を各タクシー会社が行うので、各タクシー会社の利用料金の競争を活性化することが可能になる。
図２１は図１３の変形例を示す図であり、図２２は図２０の変形例を示す図である。
以上の説明では、１人のユーザのＲ１携帯電話端末１０３とＡ１タクシー会社１１１、Ａ２タクシー会社１１２、Ａ３タクシー会社１１３の３社のシステムを説明したが、これに限定されず、一般的にＮ個の携帯電話端末とＭ社間のシステムに置き換えても、図２１、図２２に示すように、受注、失注のメールを送信することにより、本発明は成立する。
【００７８】
【発明の効果】
以上説明したように、本発明によれば、インターネットにタクシー会社の管理端末を接続し、インターネットにサーバ端末を接続し、サーバ端末のタクシー発注画面に発注者名、メールアドレス、携帯電話番号、乗車場所、降車場所を含む入力欄を表示し、サーバ端末のタクシー会社登録画面をＷｅｂ画面にタクシー会社名、情報送信先メールアドレスを含む入力欄を表示し、管理端末がサーバ端末にアクセスしタクシー会社登録画面から登録した結果を登録済みタクシー会社のリストに保持し、ユーザの携帯電話端末がサーバ端末にアクセスしタクシー発注画面からタクシー発注依頼を行った場合、ユーザ情報にタクシー会社名、利用料金の入力欄を表示したユーザ情報設定画面をＷｅｂ画面として作成し、リストに保持されている登録済みタクシー会社の管理端末のすべてにユーザ情報設定画面のＷｅｂ画面に対して入札するようにとの文章を記載したメールを送信し、管理端末がアクセスしユーザ情報設定画面に入札が行われた場合、ユーザ情報に入札を行ったタクシー会社名、入札の利用料金を表示した会社・利用料金表示画面をＷｅｂ画面として作成し、ユーザの携帯電話端末に会社・利用料金表示画面のＷｅｂ画面に対して発注を行うようにとの文章を記載したメールを送信し、ユーザの携帯電話端末がアクセスし会社・利用料金表示画面からタクシー発注を行った場合、受注があったタクシー会社の管理端末に受注通知を行い、他のタクシー会社の管理端末に失注通知を行うようにしたので、携帯電話端末を利用して各タクシー会社に対し、利用区間に対する利用料金を提示させ、各タクシー会社の目的地までの利用料金が明確になり、利用料金を容易に比較することが可能になるため、有利な条件で利用するタクシー会社を選択することが可能になる。
【００７９】
さらに、タクシー会社が利用料金を決定しユーザ側に通知した際に、ユーザから選択されなければ、受注が減少し、利用料金を減額する努力を各タクシー会社が行うので、各タクシー会社の利用料金の競争を活性化することが可能になる。
さらに、乗車場所と降車場所から各タクシー会社が固定利用料金を算出し、乗車時に前払いでユーザが支払いを行うので、道路の渋滞、経路、時間帯による利用料金の増加を、メータを見ながら、気にせず安心して利用することが可能になる。
【図面の簡単な説明】
【図１】本発明に係る携帯電話端末を利用したタクシー利用料金決定システムの概略全体構成を示すブロック図である。
【図２】Ｗｅｂページ作成手段１４１により作成されるタクシー発注画面のユーザ入力フォーマットのＷｅｂ画面例を示す図である。
【図３】Ｗｅｂページ作成手段１４１により作成されるタクシー会社登録フォーマットのＷｅｂ画面例を示す図である。
【図４】図３でＷｅｂページ作成手段１４１により作成されるタクシー会社登録画面への入力例を示す図である。
【図５】情報送信会社の登録済みタクシー会社のリスト例を示す図である。
【図６】図１におけるサーバ端末１３１のユーザ情報設定手段１４３の概略構成を示すブロック図である。
【図７】ユーザ情報設定手段１４３のフォーマットページ作成手段１５２で作成されたユーザ情報設定画面のＷｅｂ画面例を示す図である。
【図８】図７で作成されたユーザ情報設定画面への入札例を示す図である。
【図９】ユーザ情報設定手段１４３のメール作成／送信手段１５４により作成され、ＵＲＬ設定手段１５３によりＵＲＬが記載され、タクシー会社に送信される入札依頼のメール文章例を示す図である。
【図１０】図１におけるサーバ端末１３１の会社名／料金設定手段１４４の概略構成を示すブロック図である。
【図１１】会社名／料金設定手段１４４のＷｅｂページ作成手段１６１により作成される会社・利用料金表示画面のＷｅｂ画面例を示す図である。
【図１２】ユーザ情報設定手段１４３のメール作成／送信手段１５４に作成され、ユーザに送信される発注依頼のメール文章例を示す図である。
【図１３】図１における発注結果通知手段１４５により通知されるメール文章例を示す図である。
【図１４】ユーザとの直接受注処理を説明する図である。
【図１５】図１４のＡ１管理端末１２１とタクシー車両Ｃ１のＲ２携帯電話端末１０４、ユーザのＲ１携帯電話端末１０３との間のメール文章の内容を説明する図である。
【図１６】図１におけるサーバ端末１３１のＷｅｂページ作成手段１４１の事前処理を説明するフローチャートである。
【図１７】図１におけるサーバ端末１３１のタクシー会社登録手段１４２の動作例を説明する図である。
【図１８】図６におけるユーザ情報設定手段１４３の一連の動作例を説明するフローチャートである。
【図１９】図１０におけるサーバ端末１３１の会社名／料金設定手段１４４の動作例を説明するフローチャートである。
【図２０】図１におけるサーバ端末１３１の発注結果通知手段１４５の動作例を説明するフローチャートである。
【図２１】図１３の変形例を示す図である。
【図２２】図２０の変形例を示す図である。
【符号の説明】
１０１…インターネット
１０２…移動通信網
１０３…Ｒ１携帯電話端末
１０４…Ｒ２携帯電話端末
１１１…Ａ１タクシー会社
１１２…Ａ２タクシー会社
１１３…Ａ３タクシー会社
１２１…Ａ１管理端末
１２２…Ａ２管理端末
１２３…Ａ３管理端末
１３１…サーバ端末
１４１…Ｗｅｂページ作成手段
１４２…タクシー会社登録手段
１４３…ユーザ情報設定手段
１４４…会社名／料金設定手段
１４５…発注結果通知手段
１５１…案件番号設定手段
１５２、１６１…Ｗｅｂページ作成手段
１５３、１６２…ＵＲＬ設定手段
１５４、１６３…メール作成／送信手段
【図１】
2004355410.tif 000003
【図２】
2004355410.tif 000004
【図３】
2004355410.tif 000005
【図４】
2004355410.tif 000006
【図５】
2004355410.tif 000007
【図６】
2004355410.tif 000008
【図７】
2004355410.tif 000009
【図８】
2004355410.tif 000010
【図９】
2004355410.tif 000011
【図１０】
2004355410.tif 000012
【図１１】
2004355410.tif 000013
【図１２】
2004355410.tif 000014
【図１３】
2004355410.tif 000015
【図１４】
2004355410.tif 000016
【図１５】
2004355410.tif 000017
【図１６】
2004355410.tif 000018
【図１７】
2004355410.tif 000019
【図１８】
2004355410.tif 000020
【図１９】
2004355410.tif 000021
【図２０】
2004355410.tif 000022
【図２１】
2004355410.tif 000023
【図２２】
2004355410.tif 000024